【手続補正書】
【提出日】平成17年1月13日(2005.1.13)
【手続補正１】
【補正対象書類名】明細書
【補正対象項目名】発明の名称
【補正方法】変更
【補正の内容】
【発明の名称】印刷制御システム及び印刷制御方法
【手続補正２】
【補正対象書類名】明細書
【補正対象項目名】特許請求の範囲
【補正方法】変更
【補正の内容】
【特許請求の範囲】
【請求項１】
出力デバイスにより印刷処理を実行するための印刷制御システムであって、
出力デバイスの識別情報及び上記印刷処理の指示情報に基づいて、上記出力デバイスに対するジョブチケットを生成するジョブチケット生成手段と、
前記ジョブチケット生成手段により生成されたジョブチケットに含まれる出力デバイスの識別情報が、印刷処理を実行しようとする出力デバイスの識別情報と一致しているか否かを判断する判断手段と、
前記判断手段により識別情報が一致していると判断された場合に、前記ジョブチケット生成手段により生成されたジョブチケットに含まれる印刷処理の指示情報を解釈し、印刷データから印刷用描画データとプリンタ制御データとを生成する生成手段とを備えることを特徴とする印刷制御システム。
【請求項２】
前記判断手段により識別情報が一致していないと判断された場合に、印刷処理を行わない旨を報知する報知手段を更に備えることを特徴とする請求項１記載の印刷制御システム。
【請求項３】
印刷処理を実行しようとする出力デバイスの識別情報を取得する取得手段を更に備えることを特徴とする請求項１または２に記載の印刷制御システム。
【請求項４】
前記生成手段により生成された印刷用描画データとプリンタ制御データの出力を行った後も印刷データとジョブチケットを記憶しておく記憶手段と、
前記出力デバイスによる印刷結果情報を取得し、前記記憶手段に記憶されているジョブチケットに印刷結果情報を追記する編集手段を更に備えることを特徴とする請求項１乃至３のいずれか１項に記載の印刷制御システム。
【請求項５】
上記印刷処理の指示情報は、印刷部数、用紙サイズ、フィニッシング、片面／両面、Number-Up、拡大／縮小、及び印刷ページ指定の少なくとも何れかの指示の情報を含むことを特徴とする請求項１乃至４のいずれか１項に記載の印刷制御システム。
【請求項６】
出力デバイスにより印刷処理を実行するための印刷制御システムを用いた印刷制御方法であって、
出力デバイスの識別情報及び上記印刷処理の指示情報に基づいて、上記出力デバイスに対するジョブチケットを生成するジョブチケット生成ステップと、
前記ジョブチケット生成ステップにより生成されたジョブチケットに含まれる出力デバイスの識別情報が、印刷処理を実行しようとする出力デバイスの識別情報と一致しているか否かを判断する判断ステップと、
前記判断ステップにより識別情報が一致していると判断された場合に、前記ジョブチケット生成手段により生成されたジョブチケットに含まれる印刷処理の指示情報を解釈し、印刷データから印刷用描画データとプリンタ制御データとを生成する生成ステップとを有することを特徴とする印刷制御方法。
【請求項７】
前記判断ステップにより識別情報が一致していないと判断された場合に、印刷処理を行わない旨を報知する報知ステップを更に有することを特徴とする請求項６記載の印刷制御方法。
【請求項８】
印刷処理を実行しようとする出力デバイスの識別情報を取得する取得ステップを更に有することを特徴とする請求項６または７に記載の印刷制御方法。
【請求項９】
前記生成ステップにより生成された印刷用描画データとプリンタ制御データの出力を行った後も印刷データとジョブチケットを記憶しておく記憶手段を前記印刷制御システムが備える場合に、
前記出力デバイスによる印刷結果情報を取得し、前記記憶手段に記憶されているジョブチケットに印刷結果情報を追記する編集ステップを更に有することを特徴とする請求項６乃至８のいずれか１項に記載の印刷制御方法。
【請求項１０】
上記印刷処理の指示情報は、印刷部数、用紙サイズ、フィニッシング、片面／両面、Number-Up、拡大／縮小、及び印刷ページ指定の少なくとも何れかの指示の情報を含むことを特徴とする請求項６乃至９のいずれか１項に記載の印刷制御方法。
【手続補正３】
【補正対象書類名】明細書
【補正対象項目名】０００１
【補正方法】変更
【補正の内容】
【０００１】
【発明の属する技術分野】
本発明は、例えば、加工や表示や印刷等の印刷指示であるジョブチケットに基づき印刷処理（印刷情報出力処理）を行うにあたり、特に、印刷指示並びに印刷データのみを保持した印刷環境における個々の印刷装置（印刷デバイス）を区別した印刷可／不可の制御を行うための装置或いはシステムに用いられる、印刷制御システム及び印刷制御方法に関するものである。
【手続補正４】
【補正対象書類名】明細書
【補正対象項目名】００１２
【補正方法】変更
【補正の内容】
【００１２】
そこで、本発明は、上記の欠点を除去するために成されたもので、印刷指示並び印刷データのみを保持した印刷環境において、印刷指示に対して印刷デバイスのＩＤを保持する等して、個々の印刷デバイスを区別した印刷可／不可等の制御を可能にした印刷制御システム及び印刷制御方法を提供することを目的とする。
【手続補正５】
【補正対象書類名】明細書
【補正対象項目名】００１３
【補正方法】変更
【補正の内容】
【００１３】
【課題を解決するための手段】
斯かる目的下において、本発明は、出力デバイスにより印刷処理を実行するための印刷制御システムであって、出力デバイスの識別情報及び上記印刷処理の指示情報に基づいて、上記出力デバイスに対するジョブチケットを生成するジョブチケット生成手段と、前記ジョブチケット生成手段により生成されたジョブチケットに含まれる出力デバイスの識別情報が、印刷処理を実行しようとする出力デバイスの識別情報と一致しているか否かを判断する判断手段と、前記判断手段により識別情報が一致していると判断された場合に、前記ジョブチケット生成手段により生成されたジョブチケットに含まれる印刷処理の指示情報を解釈し、印刷データから印刷用描画データとプリンタ制御データとを生成する生成手段とを備えることを特徴とする。
【手続補正６】
【補正対象書類名】明細書
【補正対象項目名】００１４
【補正方法】変更
【補正の内容】
【００１４】
また、本発明は、出力デバイスにより印刷処理を実行するための印刷制御システムを用いた印刷制御方法であって、出力デバイスの識別情報及び上記印刷処理の指示情報に基づいて、上記出力デバイスに対するジョブチケットを生成するジョブチケット生成ステップと、前記ジョブチケット生成ステップにより生成されたジョブチケットに含まれる出力デバイスの識別情報が、印刷処理を実行しようとする出力デバイスの識別情報と一致しているか否かを判断する判断ステップと、前記判断ステップにより識別情報が一致していると判断された場合に、前記ジョブチケット生成手段により生成されたジョブチケットに含まれる印刷処理の指示情報を解釈し、印刷データから印刷用描画データとプリンタ制御データとを生成する生成ステップとを有することを特徴とする。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】